(57)【要約】【課題】簡易な構造によって電気品箱の回転を可能とし、作業性を向上させたる空気調和機を提供する。【解決手段】空気調和機１の室内機２は、装着穴３ｅが形成されたキャビネット３と、電気部品が収納される本体部８と、本体部８の長手方向の端部に設けられる突起部１１とを有する電気品箱７とを備える。装着穴３ｅは、キャビネット３の幅方向の一端部に設けられている。電気品箱７の突起部１１が、キャビネット３の装着穴３ｅに嵌め込まれることにより、電気品箱７はキャビネット３に装着され、電気品箱７は、突起部１１を支点として、キャビネット３に対し回転可能に構成される。【選択図】図３
2015194295.tif 000002
【特許請求の範囲】
【請求項１】
装着穴が形成された筐体と、
電気部品が収納される本体部と、前記本体部の長手方向の端部に設けられる突起部とを有する電気品箱と、を備え、
前記装着穴は、前記筐体の幅方向の一端部に設けられ、
前記電気品箱の前記突起部が、前記筐体の前記装着穴に嵌め込まれることにより、前記電気品箱は前記筐体に装着され、前記電気品箱は、前記突起部を支点として、前記筐体に対し回転可能に構成される空気調和機。
【請求項２】
前記筐体内に配置され、前記筐体外の空気を吸入し、吸入した空気を吹き出す送風機と、
前記筐体内に配置され、前記送風機により吸入された空気と熱交換を行う熱交換器と、
前記筐体内において前記熱交換器の下方に配置され、前記熱交換器が熱交換を行う際に生じる結露水を受けるドレンパンと、をさらに備え、
前記電気品箱は、前記ドレンパンの下方に配置されている請求項１に記載の空気調和機。
【請求項３】
前記突起部には、下方へ開放する切欠きが形成され、
前記電気品箱は、前記本体部の長手方向が、前記筐体の幅方向と平行をなす平行位置と、前記長手方向が前記筐体の幅方向と所定の角度をなす回転位置との間を回転可能に構成され、
前記電気品箱が前記回転位置にあるときに、前記切欠きに前記筐体が嵌り、前記電気品箱の回転が抑制される請求項２に記載の空気調和機。
【請求項４】
前記電気部品は、前記送風機を制御するための制御用基板と、前記送風機へ電気を供給するための電源供給用基板とを有し、
前記本体部において、前記電源供給用基板は、前記制御用基板よりも前記突起部側に配置されている請求項２または請求項３に記載の空気調和機。
【請求項５】
前記送風機と前記制御用基板とは、配線により接続され、
前記配線は、前記ドレンパンの上方から前記突起部の近傍に向かって延び、前記突起部の近傍から前記制御用基板に向かって延びるように配設されている請求項４に記載の空気調和機。
【請求項６】
前記本体部には、前記制御用基板が設けられる一方の側と、前記一方の側の反対側の他方の側とに開口する挿通穴が形成され、
前記配線は、前記突起部の近傍から前記本体部の前記他方の側へ延び、前記挿通穴よりも低い位置に配設されて、前記挿通穴に挿通される請求項５に記載の空気調和機。
【請求項７】
前記ドレンパンは、その下側に位置し、前記結露水を排出するためのドレン配管を有し、
前記熱交換器は、前記ドレンパンを貫通して前記ドレンパンの下方に延び、冷媒配管と接続される接続用配管を有し、
前記電気品箱は、前記本体部の長手方向が、前記筐体の幅方向と平行をなす平行位置と、前記長手方向が前記筐体の幅方向と所定の角度をなす回転位置との間で回転可能に構成され、
前記電気品箱が前記回転位置にあるときに、前記幅方向と鉛直方向とに直交する方向において、前記接続用配管および前記ドレン配管は、前記ドレンパンの下側において前記電気品箱に対し重ならないように配置されている請求項２から請求項６のいずれか一項に記載の空気調和機。
【請求項８】
前記幅方向と鉛直方向とに直交する方向において、前記接続用配管および前記ドレン配管は、互いに重ならないように配置されている請求項７に記載の空気調和機。
【請求項９】
前記本体部の前記長手方向の寸法Ｗは、前記筐体の前記幅方向の寸法ｄに対し、０．８ｄ≦Ｗ＜ｄとなるように構成される請求項１から請求項８のいずれか一項に記載の空気調和機。
【発明の詳細な説明】
【技術分野】
【０００１】
本発明は、床置型で作業性を向上させた空気調和機に関する。
【背景技術】
【０００２】
床置型の空気調和機では、設置面積の縮小化や製品の据え付けの容易さが求められる。ドレンパンの排出口が製品内部における電気品箱奥側に配置されている場合でも、ドレンパンの排出口とドレン水配管との接続作業等の作業を効率よく行うことが可能な空気調和機が提案されている（例えば、特許文献１参照）。
【０００３】
特許文献１の空気調和機では、電気品箱の奥にあるドレンパンの排出口にアクセスしてドレン水配管の付け替え等の作業を行う際には、電気品箱を、回転軸を中心にして手前側に回転させることで、作業性の向上を行っている。
【先行技術文献】
【特許文献】
【０００４】
【特許文献１】特開２００６−２２０３２１号公報
【発明の概要】
【発明が解決しようとする課題】
【０００５】
しかし、特許文献１の空気調和機は、電気品箱を回転させる機構として電気品箱に新たな部品を取り付け、回転を可能とし、さらに回転を規制するために、ワイヤーや紐といったストッパを取り付けている。この結果、部品点数が増加し、より複雑化する。
【０００６】
そこで、本発明の目的は、簡易な構造によって電気品箱の回転を可能とし、作業性を向上させたる空気調和機を得ることにある。
【課題を解決するための手段】
【０００７】
上記目的を解決するために、本発明の一態様である空気調和機は、装着穴が形成された筐体と、電気部品が収納される本体部と、前記本体部の長手方向の端部に設けられる突起部とを有する電気品箱と、を備え、前記装着穴は、前記筐体の幅方向の一端部に設けられ、前記電気品箱の前記突起部が、前記筐体の前記装着穴に嵌め込まれることにより、前記電気品箱は前記筐体に装着され、前記電気品箱は、前記突起部を支点として、前記筐体に対し回転可能に構成される。
【発明の効果】
【０００８】
本発明によれば、簡易な構造によって電気品箱の回転を可能とし、作業性を向上させたる空気調和機を提供することができる。
【図面の簡単な説明】
【０００９】
【図１】本発明の実施形態に係る床置型の空気調和機の室内機の一部分解斜視図を示す。
【図２】空気調和機の電気品箱の正面図を示す。
【図３】（ａ）は、電気品箱をキャビネットから外した状態における電気品箱の正面図を示し、（ｂ）は、キャビネットから電気品箱を外した状態における室内機のドレンパンの下方の空間の正面図を示す。
【図４】回転支持部の突起部の拡大図を示す。
【図５】（ａ）は、図２のＶＡ−ＶＡ線に沿った断面図を示し、（ｂ）は、図７のＶＢ−ＶＢ線に沿った断面図を示す。
【図６】電気品箱を図１に示した状態から回転させた状態を示す。
【図７】電気品箱を回転位置へ回転させた状態におけるキャビネットの下側部の正面図を示す。
【図８】電気品箱の裏面に配設された配線の状態を示す図である。
【発明を実施するための形態】
【００１０】
本発明の実施形態における床置型の空気調和機について、図面を参照して説明する。図１は、本実施形態における床置型の空気調和機の室内機の一部分解斜視図を示している。
【００１１】
空気調和機１は、室内機２と、図示せぬ室外機とを備える。図１に示すように、室内機２は、筐体としてのキャビネット３を有し、キャビネット３内に、熱交換器４と、送風機５と、ドレンパン６と、電気品箱７とが配置されている。なお、図１の室内機２において、電気品箱７が位置する側を前側、逆側を後側として説明する。
【００１２】
キャビネット３の前面には、上段カバー３Ａ、中段カバー３Ｂ、および下段カバー３Ｃが、図示せぬネジ等によりキャビネット本体に着脱可能に取り付けられている。中段カバー３Ｂは、熱交換器４を覆うよう取り付けられ、複数の吸込口３ｄが形成されている。また、図３に示すように、キャビネット３の幅方向の一端部において、キャビネット３を構成するフレームには、キャビネット３の正面側に開口するスリット状（長穴状）の装着穴３ｅが二ヶ所に形成されている。
【００１３】
図１に示すように、キャビネット３内の空間は、ドレンパン６により上下に仕切られており、ドレンパン６の上方の空間に、熱交換器４および送風機５が配置され、ドレンパン６の下方の空間に、電気品箱７が配置されている。ドレンパン６の下側には、ドレン水を排水するためのドレン配管６Ａが接続されている。また、熱交換器４には、図示せぬ室外機から延びる冷媒配管を接続するための接続用配管４Ａが接続されており、ドレンパン６を貫通して、ドレンパン６の下方に位置している。
【００１４】
送風機５のファンが回転することにより、図１の矢印に示すように、キャビネット３外の空気が、中段カバー３Ｂの吸込口３ｄを通過してキャビネット３内に流入し、熱交換器４を通過する。熱交換器４において、図示せぬ室外機から供給された冷媒と吸込まれた空気との間で熱交換が行われ、温風または冷風が送風機５の吹出し口５ａから室内に吹出される。また、冷房運転時には、ドレンパン６に熱交換器４で結露したドレン水が捕集され、ドレン配管６Ａへ排水される。
【００１５】
次に、電気品箱７の構成について、図２〜図８を参照して詳細に説明する。図２は、電気品箱７の正面図を示し、図３（ａ）は、電気品箱７をキャビネット３から外した状態における電気品箱７の正面図を示し、図３（ｂ）は、キャビネット３から電気品箱７を外した状態におけるキャビネット３のドレンパン６の下方の空間の正面図を示す。
【００１６】
電気品箱７は、ドレンパン６の下方の空間において、ドレン配管６Ａおよび接続用配管４Ａよりも前側（下段カバー３Ｃ側）に配置されている。電気品箱７は、本体部８と、固定部９と、回転支持部１０とを有する。
【００１７】
本体部８は、前面が開口する略直方体の箱状をなし、電気品箱７には、制御用基板８Ａおよび送風機４への電源供給用基板８Ｂ等の電気部品が納められている。また、本体部８には、制御用基板８Ａおよび電源供給基板８Ｂ等に接続される配線８Ｃを通すための複数の挿通穴８ｄが形成されている。そして、空気調和機１（室内機２）の据付時には、電源供給基板８Ｂに対して、床の下から延びる配線８Ｃが接続される。また、キャビネット３の幅方向の寸法ｄに対して、電気品箱７の本体部８の長手方向（幅方向）の寸法Ｗは、０．８ｄ≦Ｗ＜ｄとなるように構成される。また、電源供給基板８Ｂは、制御用基板８Ａよりも回転支持部１０側に設けられている。
【００１８】
固定部９は、本体部８の長手方向の一端部に設けられ、固定部９に対しネジ９Ａが挿入されることにより、電気品箱７は、キャビネット３に固定される。これにより、電気品箱７の回転を必要としないときは（例えば空気調和機１の輸送時）、電気品箱７をキャビネット３に固定することが出来る。
【００１９】
回転支持部１０は、本体部８の長手方向の他端部に設けられ、二つの突起部１１を有している。図４は、回転支持部１０の突起部１１の拡大図を示す。各突起部１１は、回転抑制部１２と、装着部１３とを備える。回転抑制部１２は、本体部８の長手方向に対し平行をなしており、下方へ開放された切欠き１２ａが形成されている。装着部１３は、本体部８の長手方向に対し略直交する方向（キャビネット３の奥行き方向）に延び、回転支持面１３ａおよび突出部１３Ｂを有する。
【００２０】
そして、キャビネット３の幅方向と本体部８の長手方向とを平行を保った状態で、各装着部１３を対応する装着穴３ｅに嵌め込むことにより、電気品箱７は、キャビネット３に対し装着される。電気品箱７をキャビネット３に装着した状態（図２）では、図２のＶＡ−ＶＡ線に沿った断面図である図５（ａ）に示すように、装着部１３の回転支持面１３ａは、装着穴３ｅを形成する底面３ｆ上に載置されている。また、回転支持面１３ａよりも下方に突出する突出部１３Ｂにより、装着部１３が装着穴３ｅから外れるのが防止される。
【００２１】
電気品箱７は、回転支持部１０の突起部１１を支点に、回転可能に構成され、固定部９を手前に引くことにより、図２に示す電気品箱７の状態から、図６に示す電気品箱７の状態に回動可能である。本体部８の長手方向が、キャビネット３の幅方向に対し平行な状態（平行位置）から、キャビネット３の幅方向に対し略直交する状態になるまでは、回転支持面１３ａが底面３ｆに支持された状態で、電気品箱７は回転する。
【００２２】
そして、本体部８の長手方向が、キャビネット３の幅方向に対し略直交（所定の角度）する状態（回転位置）になると、電気品箱７の全開状態の時の正面図を示す図７のＶＢ−ＶＢ線に沿った断面図である図５（ｂ）に示すように、回転抑制部１２の切欠き１２ａに、キャビネット３を構成するフレームが嵌った状態となる。この状態において、電気品箱７の回転は抑制され、電気品箱７の角度は保持される。なお、切欠き１２ａの幅は、キャビネット３のフレームの厚さに対し、＋１ｍｍ程度であることが好ましい。また、電気品箱７が平行位置にあるときには、ドレンパン６の下方の空間は電気品箱７により塞がれており、当該空間へのアクセスが不能であり、電気品箱７が回転位置にあるときには、ドレンパン６の下方の空間が解放され、当該空間へのアクセスが可能となる。
【００２３】
また、回転支持面１３ａと切欠き１２ａとでは、高さの位置が異なるため、電気品箱７が図５（ａ）に示す状態から図５（ｂ）に示す状態となると、電気品箱７は当該高さの違いの分だけ下降することとなる。その結果、電気品箱７を図５（ｂ）に示す状態から図５（ａ）に示す状態に戻す場合には、電気品箱７を少し持ち上げながら回転させ、回転支持面１３ａを底面３ｆに載せる必要がある。
【００２４】
また、図７に示すように、電気品箱７を所定の角度まで回転させた状態（回転位置にある状態）において、電気品箱７は、前側から見て、接続配管４Ａおよびドレン配管６Ａと重ならないように構成されている。言い換えると、キャビネット３の幅方向と鉛直方向とに直行する方向（奥行き方向）において重ならないようにする。また、前側から見て、接続配管４Ａおよびドレン配管６Ａは、互いに重ならないように配置されている。これも同様に言い換えると、キャビネット３の幅方向と鉛直方向とに直行する方向（奥行き方向）において重ならないようにする。接続配管４Ａおよびドレン配管６Ａは、所定の間隔をあけて配置されており、ダブルスパナによって接続配管４Ａを施工する際に他の配管が邪魔にならないようにしている。
【００２５】
図８に示すように、ドレンパン６の上方から電気品箱７へ延びる複数本の配線８Ｃは、ドレンパン６の上方から回転支持部１０の近傍に向かって延び、本体部８の裏側において、回転支持部１０の近傍から固定部９側に延び、挿通穴８ｄよりも低い位置に配設されてから、それぞれ挿通穴８ｄに挿通されている。また、配線８Ｃは、固定具により本体部８の裏面に付設されている。これにより、配線８Ｃが、接続配管４Ａおよびドレン配管６Ａに接触するのが防止される。
【００２６】
上記のように、本実施形態の空気調和機１（室内機２）によれば、電気品箱７の突起部１１の装着部１３が、キャビネット３の装着穴３ｅに嵌め込まれることにより、電気品箱７はキャビネット３に装着され、電気品箱７は、突起部１１を支点として、キャビネット３に対し回転可能に構成される。よって、簡易な構成により、キャビネット３に対し電気品箱７が回転する空気調和機１を提供することができる。
【００２７】
また、ドレンパン６は熱交換器４の下方に配置され、電気品箱７はドレンパン６の下方に配置されているので、熱交換器４で発生した結露水はドレンパン６により捕集される。よって、電気品箱７に対し、結露水がかかることを防止でき、空気調和機１の信頼性を向上させることができる。
【００２８】
また、電気品箱７が回転位置にあるときに、回転抑制部１２の切欠き１２ａに、キャビネット３を構成するフレームが嵌り、電気品箱７の回転は抑制される。よって、電気品箱７が回転位置にある状態が保持され、キャビネット３の内部に対する作業が容易となり、施工性・作業性が向上する。
【００２９】
また、電気品箱７の本体部８において、電源供給用基板８Ｂは、制御用基板８Ａよりも回転支持部１０側に配置されている。よって、電気品箱７の開閉時に、空気調和機１の載置される床の下から延び電源供給用基板８Ｂに接続される配線８Ｃが引っ張られるのを防止することができる。
【００３０】
また、複数本の配線８Ｃは、ドレンパン６の上方から回転支持部１０の近傍に向かって延び、本体部８の裏側において、回転支持部１０の近傍から固定部９側に延びるように配設されている。よって、電気品箱７の開閉時に、配線８Ｃが引っ張られるのを防止することができる。
【００３１】
また、複数本の配線８Ｃは、ドレンパン６の上方から回転支持部１０の近傍に向かって延び、本体部８の裏側において、回転支持部１０の近傍から固定部９側に延び、挿通穴８ｄよりも低い位置に配設されてから、それぞれ挿通穴８ｄに挿通されている。よって、結露水が、配線８Ｃに付着して配線８Ｃに伝って落ちてきたとしても、挿通穴８ｄの手前で結露水を下に落とすことができ、挿通穴８ｄから結露水が電気品箱７に流入するのを防止することができる。これにより、空気調和機１の信頼性を向上させることができる。
【００３２】
また、電気品箱７が回転位置にある状態において、電気品箱７は、前側から見て、接続配管４Ａおよびドレン配管６Ａと重ならないように構成されている。よって、接続配管４Ａおよびドレン配管６Ａへのアクセスする際に、電気品箱７が邪魔にならず、施工性・作業性を向上させることができる。
【００３３】
前側から見て、接続配管４Ａおよびドレン配管６Ａは互いに重ならないように構成されている。よって、各配管に対する作業において、他の配管が邪魔になるのを防止することができ、作業性を向上させることができる。
【００３４】
また、キャビネット３の幅方向の寸法ｄは、電気品箱７の本体部８の長手方向（幅方向）の寸法Ｗに対し、０．８ｄ≦Ｗ＜ｄとなるように構成されている。よって、キャビネット３の幅の大部分は、電気品箱７によって塞がれる状態となるが、電気品箱７は、キャビネット３に対し回転可能に設けられているので、電気品箱７を回転させることにより、キャビネット３内にアクセスすることができる。
【００３５】
なお、本発明は、上述した実施例に限定されない。当業者であれば、本発明の範囲内で、種々の追加や変更等を行うことができる。
【００３６】
例えば、電気品箱７が回転位置にある状態で、本体部８の長手方向はキャビネット３の幅方向に対して略直交していたが、接続配管４Ａおよびドレン配管６Ａへのアクセスする際に、電気品箱７が邪魔にならなければ、直交でなくても良い。
【００３７】
また、電気品箱７は、ドレンパン６の下方に配置されていたが、送風機４の前側に配置されていても良い。また、ドレン配管６Ａは、キャビネット３の幅方向において、中央部よりも回転支持部１０側に配置されていたが、中央部に配置されることが好ましい。
【符号の説明】
【００３８】
１    空気調和機  ２：室内機、３：キャビネット、３ｅ：装着穴、４：熱交換器、４Ａ：接続用配管、５：送風機、６：ドレンパン、６Ａ：ドレン配管、７：電気品箱、８：本体部、１２：突起部、１２ａ：切欠き
【図１】
2015194295.tif 000003
【図２】
2015194295.tif 000004
【図３】
2015194295.tif 000005
【図４】
2015194295.tif 000006
【図５】
2015194295.tif 000007
【図６】
2015194295.tif 000008
【図７】
2015194295.tif 000009
【図８】
2015194295.tif 000010